(57)【特許請求の範囲】
【請求項１】
外壁裏面から垂下するシート状の水切と外壁表面から垂下するシート状の水切とを接続する水切部材であって、
外壁裏面側の水切へ接続される裏面側接続部と、外壁表面側の水切へ接続される表面側接続部と、裏面側接続部および表面側接続部を連結し前記外壁の端面に沿う連結部とを有する水切部材本体を備え、該水切部材本体の連結部と該連結部に連続する裏面側接続部との少なくとも一部分に硬質補強材を設け、且つ、前記水切部材本体の裏面に粘着層を有することを特徴とする水切部材。
【請求項２】
外壁裏面から垂下するシート状の水切と外壁表面から垂下するシート状の水切とを請求項１に記載の水切部材により接続してなる防水構造を備えた建物。
【発明の詳細な説明】
【０００１】
【発明の属する技術分野】
この発明は、建物の外壁部分の防水に用いられる水切部材に関するものである。
【０００２】
【従来の技術】
住宅などの建物では、外壁部分に十分な防水性を確保することが重要である。
【０００３】
そのために、外壁パネルの裏面にシート状の水切を設けたり、外壁パネルの表面にシート状の水切を設けたりしている。
【０００４】
【発明が解決しようとする課題】
しかしながら、このような従来の住宅の防水手段では、以下のような問題があった。
【０００５】
例えば、従来は外壁パネル裏面のシート状の水切と、外壁パネル表面のシート状の水切とを連続して用いる例がなかったが、これらを連続させる必要が生じた場合に、これらを確実に接続する手段が存在しなかった。
【０００６】
そこで、本発明の目的は、上記の問題点を解消し、外壁裏面のシート状の水切と、外壁表面のシート状の水切とを確実に接続できる水切部材を提供することにある。
【０００７】
【課題を解決するための手段】
上記課題を解決するために、請求項１に記載された発明では、外壁裏面から垂下するシート状の水切と外壁表面から垂下するシート状の水切とを接続する水切部材であって、外壁裏面側の水切へ接続される裏面側接続部と、外壁表面側の水切へ接続される表面側接続部と、裏面側接続部および表面側接続部を連結し前記外壁の端面に沿う連結部とを有する水切部材本体を備え、該水切部材本体の連結部と該連結部に連続する裏面側接続部との少なくとも一部分に硬質補強材を設け、且つ、前記水切部材本体の裏面に粘着層を有することを特徴としている。
【０００８】
このように構成された請求項１にかかる発明によれば、前記水切部材本体によって前記外壁裏面のシート状の水切と、外壁表面のシート状の水切とを確実に接続することができる。また、連結部と該連結部に連続する裏面側接続部との少なくとも一部分を硬質補強材で補強することにより、水切部材本体と外壁との間に隙間を作らずに水切部材本体を取付けることができ、良好な防水性能を得ることができる。
【０００９】
請求項２に記載された発明は、シート状の水切と外壁表面から垂下するシート状の水切とを請求項１に記載の水切部材により接続してなる防水構造を備えた建物であり、上記の如く良好な防水性能の建物となる。
【００１０】
【発明の実施の形態１】
以下、本発明の具体的な実施の形態１について、図示例と共に説明する。
【００１１】
図１〜図６は、この発明の実施の形態１を示すものであり、複数の建物ユニットを組合わせて構築されるユニット建物の隣接する建物ユニット１，２間のつなぎ部分３に適用した場合について説明する。
【００１２】
まず、構成を説明すると、図１、図２に示すように、隣接する建物ユニット１，２は、それぞれ外壁パネルなどの外壁４を取付ける面を構成する枠材５と、この枠材５の端部に直角に取付けられて互いに隣接する面を構成する枠材６とを備えている。そして、枠材６の外壁４側の端面には、外壁４のないつなぎ部分３があり、このつなぎ部分３には縦水切７が取付けられている。
【００１３】
建物ユニット１の外壁４部分には、下部に居室がないため中間庇８が取付けられる。また、建物ユニット２の外壁４部分には、下部に居室があるため勾配下屋９などの下屋が取付けられる。中間庇８と勾配下屋９とは連続して設けられるが、勾配下屋９側は中間庇８側に比べて厳重な防水性が要求されるため、それぞれ異なる防水構造が採用される。
【００１４】
即ち、中間庇８側では、図１、図３に示すように、外壁４の表面で且つ中間庇８の上端よりも上方の墨出線１０の位置に上端を合わせてシート状の水切１１が取付けられる（現地取付）。シート状の水切１１の上端は裏面に形成された粘着層１２を利用して外壁４に接着され且つネジ１３で固定される。シート状の水切１１の下端は裏面に形成された粘着層１３を利用して中間庇８の上端縁に接着される。そして、シート状の水切１１をカバー水切１５で覆う。カバー水切１５はスペーサ１６を介して釘１７で固定される。釘１７の頭部はコーキング１８でシールされ、カバー水切１５の上端縁はコーキング１９でシールされる。
【００１５】
また、勾配下屋９側では、図１、図４に示すように、外壁４の下端は勾配下屋９の上端よりも上方の位置（墨出線１０とほぼ同一位置）で終端となっている。そして、外壁４の裏面にシート状の水切２１が予め取付けられ（工場取付）、シート状の水切２１が外壁４の下端から垂下される。シート状の水切２１の下端は裏面に形成された粘着層２３を利用して勾配下屋９の上端縁に接着される。そして、シート状の水切２１をカバー水切２４で覆う。カバー水切２４はスペーサ２５を介して釘２６で固定される。釘２６の頭はコーキング２７でシールされ、カバー水切２４の上端縁はエプトシーラー２８などのシール材でシールされる。
【００１６】
この実施の形態１のものでは、図５に示すように、外壁４裏面から垂下するシート状の水切２１と外壁４表面から垂下するシート状の水切１１とを接続する水切部材３１を設ける。この水切部材３１は、外壁４裏面側の水切２１へ接続される裏面側接続部３２と、外壁４表面側の水切１１へ接続される表面側接続部３３と、裏面側接続部３２および表面側接続部３３を連結して外壁４の端面に沿う連結部３４とを有するゴム製などのシート状の水切部材本体３５を備えている。
【００１７】
また、水切部材本体３５の連結部３４と、この連結部３４に連続する裏面側接続部３２との少なくとも一部分が、ＣＰＰなどの半硬質または硬質の硬質補強材３６で補強されている。この硬質補強材３６は平面視ほぼＬ字状を呈している。且つ、水切部材本体３５裏面の少なくとも外周縁部には粘着層３７を有している。
【００１８】
尚、建物ユニット１，２間のつなぎ部分３には、後に、図６に示すように、つなぎ用外壁材４１が挿入配置され、つなぎ用外壁材４１はビス４２で固定される。更に、外壁４とつなぎ用外壁材４１との間にはガスケット４３が挿入される。
【００１９】
次に、この実施の形態１の作用について説明する。
【００２０】
裏面の粘着層３７を利用して、建物ユニット１，２間のつなぎ部分３に水切部材本体３５を貼付ける。この際、外壁４裏面側の水切２１の上へ裏面側接続部３２を貼付け、外壁４表面側の水切１１の上へ表面側接続部３３を貼付け、外壁４の端面に連結部３４を貼付けるようにする。この際、ＣＰＰなどの半硬質または硬質の硬質補強材３６を、外壁４の端面と枠材６のつなぎ部分３とに位置合わせするようにする。
【００２１】
この実施の形態１によれば、水切部材本体３５によって外壁４裏面のシート状の水切２１と、外壁４表面のシート状の水切１１とを確実に接続することができる。
【００２２】
また、連結部３４と、この連結部３４に連続する裏面側接続部３２との少なくとも一部分を硬質補強材３６で補強することにより、水切部材本体３５と外壁４との間に隙間を作らずに水切部材本体３５を取付けることができ、良好な防水性能を得ることができる。
【００２３】
【発明の効果】
以上説明してきたように、請求項１の発明によれば、水切部材本体によって外壁裏面のシート状の水切と、外壁表面のシート状の水切とを確実に接続することができる。また、連結部と連結部に連続する裏面側接続部との少なくとも一部分を硬質補強材で補強することにより、水切部材本体と外壁との間に隙間を作らずに水切部材本体を取付けることができ、良好な防水性能を得ることができる。
【００２４】
請求項２に記載された発明によれば、請求項１に記載の水切部材により接続してなる防水構造を備え、良好な防水性能の建物となる。
【図面の簡単な説明】
【図１】本発明の実施の形態１の斜視図である。
【図２】図１のＡ−Ａ断面図である。
【図３】図１のＢ−Ｂ断面図である。
【図４】図１のＣ−Ｃ断面図である。
【図５】図１の水切部材の斜視図である。
【図６】つなぎ用外壁材の取付状態を示す図２と同様の図である。
【符号の説明】
４    外壁
１１  水切
２１  水切
３１  水切部材
３２  裏面側接続部
３３  表面側接続部
３４  連結部
３５  水切部材本体
３６  硬質補強材
３７  粘着層
【図１】
0004162827.tif 000002
【図２】
0004162827.tif 000003
【図３】
0004162827.tif 000004
【図４】
0004162827.tif 000005
【図５】
0004162827.tif 000006
【図６】
0004162827.tif 000007